【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
貨幣の支払いに応じた価値であって、遊技に使用可能な遊技用価値の大きさの情報及び各記録媒体に固有の識別情報が記録された遊技用記録媒体の遊技用価値の大きさを、各遊技用記録媒体の前記識別情報に対応づけて管理する記録媒体管理装置と、
該記録媒体管理装置と通信可能であって、前記遊技用記録媒体を受付けて、該受付けた遊技用記録媒体の記録情報を少なくとも読み出す記録媒体処理手段と、前記遊技用記録媒体の記録情報に基づく遊技用価値の大きさに相当する金額の貨幣を払出す精算処理を行う精算手段と、を備える精算装置から成り、
前記記録媒体処理手段にて前記遊技用記録媒体から読み出した前記遊技用価値の大きさの情報及び識別情報と、該識別情報に対応づけて前記記録媒体管理装置にて管理されている遊技用価値の大きさとに基づいて前記記録媒体処理手段に受付中の遊技用記録媒体の精算可否を判定し、該判定結果が精算可能である場合において精算金額に関わらず前記精算手段による精算処理を行う遊技用システムにおいて、
前記精算装置は、前記記録媒体管理装置との通信状態が通信可能状態或いは通信不可能状態であるかの確認を行う通信状態確認手段と、係員が所持する鍵の操作による精算処理要求操作があるか否かの判定手段と、前記通信不可能状態において精算金額が予め定められた上限金額を超えるか否かを判定する判定手段と、を備え、
前記精算手段は、
前記通信状態確認手段により通信不可能状態であると確認された場合において、前記係員が所持する鍵の操作による精算処理要求操作があると判定され、かつ精算金額が予め定められた上限金額を超えないと判定された場合には、前記遊技用記録媒体から読み出した記録情報に基づく遊技用価値の大きさに相当する金額の貨幣を払出す通信不可能時精算処理を実施し、
前記通信状態確認手段にて通信可能状態と確認されている場合には、前記通信不可能時精算処理を不能化することを特徴とする遊技用システム。
【請求項２】
前記精算装置は、前記精算操作手段の操作者が正規の操作者であるかを判定するための操作者確認情報を記憶する操作者確認情報記憶手段を具備するとともに、前記精算操作手段は前記鍵の操作による精算処理要求操作に加えて操作者から前記操作者確認情報を受付け、前記精算手段は、該受付けた操作者確認情報と前記操作者確認情報記憶手段に記憶されている操作者確認情報とを照合し、該照合結果が一致した場合において前記通信不可能時精算処理を実施する請求項１に記載の遊技用システム。
【請求項３】
前記操作者確認情報を生成する操作者確認情報生成手段を備え、該操作者確認情報生成手段で生成された操作者確認情報を前記操作者確認情報記憶手段に更新記憶する請求項２に記載の遊技用システム。
【請求項４】
前記通信状態確認手段にて通信不可能状態が確認された場合において、前記精算可否判定の判定結果に基づく精算処理が不可能である旨を報知する報知手段を備える請求項１〜３のいずれかに記載の遊技用システム。
【請求項５】
前記記録媒体管理装置は、精算を実施不可とする遊技用記録媒体の識別情報が登録されたブラックリスト情報を記憶する管理装置側ブラックリスト記憶手段を備え、該管理装置側ブラックリスト記憶手段に記憶されたブラックリスト情報を前記精算装置に送信し、前記精算装置は、該送信されてきた前記ブラックリスト情報を記憶するための精算装置側ブラックリスト記憶手段を備え、前記遊技用記録媒体から読み出した識別情報と前記ブラックリストに登録されている識別情報の照合を行い、該照合が一致した場合において前記精算手段による精算処理及び前記通信不可能時精算処理を行わない請求項１〜４のいずれかに記載の遊技用システム。
【請求項６】
前記精算装置は、前記通信不可能時精算処理にて精算された遊技用価値の大きさである精算遊技用価値の大きさを記憶するための精算遊技用価値記憶手段を備え、該精算遊技用価値記憶手段に記憶している記憶情報を、前記通信不可能状態から通信可能状態に復旧した後において前記記録媒体管理装置に送信する請求項１〜５のいずれかに記載の遊技用システム。
【請求項７】
前記精算装置は、前記通信不可能時精算処理の処理履歴を記憶するための処理履歴記憶手段を備え、
該処理履歴記憶手段に記憶されている処理履歴を出力するための出力手段を備える請求項１〜６のいずれかに記載の遊技用システム。
【請求項８】
前記通信不可能時精算処理の実施可能条件を設定するための設定手段を具備し、前記精算装置は、該設定手段にて設定された実施可能条件が満たされている場合において、前記通信不可能時精算処理を可能とする請求項１〜７のいずれかに記載の遊技用システム。
【手続補正２】
【補正対象書類名】明細書
【補正対象項目名】０００６
【補正方法】変更
【補正の内容】
【０００６】
前記した問題を解決するために、本発明の遊技用システムは、
貨幣の支払いに応じた価値であって、遊技に使用可能な遊技用価値の大きさの情報及び各記録媒体に固有の識別情報が記録された遊技用記録媒体の遊技用価値の大きさを、各遊技用記録媒体の前記識別情報に対応づけて管理する記録媒体管理装置と、
該記録媒体管理装置と通信可能であって、前記遊技用記録媒体を受付けて、該受付けた遊技用記録媒体の記録情報を少なくとも読み出す記録媒体処理手段と、前記遊技用記録媒体の記録情報に基づく遊技用価値の大きさに相当する金額の貨幣を払出す精算処理を行う精算手段と、を備える精算装置から成り、
前記記録媒体処理手段にて前記遊技用記録媒体から読み出した前記遊技用価値の大きさの情報及び識別情報と、該識別情報に対応づけて前記記録媒体管理装置にて管理されている遊技用価値の大きさとに基づいて前記記録媒体処理手段に受付中の遊技用記録媒体の精算可否を判定し、該判定結果が精算可能である場合において精算金額に関わらず前記精算手段による精算処理を行う遊技用システムにおいて、
前記精算装置は、前記記録媒体管理装置との通信状態が通信可能状態或いは通信不可能状態であるかの確認を行う通信状態確認手段と、係員が所持する鍵の操作による精算処理要求操作があるか否かの判定手段と、精算金額が予め定められた上限金額を超えるか否かを判定する判定手段と、を備え、
前記精算手段は、
前記通信状態確認手段により通信不可能状態であると確認された場合において、前記係員が所持する鍵の操作による精算処理要求操作があると判定され、かつ精算金額が予め定められた上限金額を超えないと判定された場合には、前記遊技用記録媒体から読み出した記録情報に基づく遊技用価値の大きさに相当する金額の貨幣を払出す通信不可能時精算処理を実施し、
前記通信状態確認手段にて通信可能状態と確認されている場合には、前記通信不可能時精算処理を不能化することを特徴としている。
この特徴によれば、前記通信状態確認手段にて記録媒体管理装置との通信状態が通信不可能状態（オフライン状態）であると確認された場合であっても、前記係員が所持する鍵の操作による精算処理要求操作があると判定され、かつ精算金額予め定められた上限金額を超えない場合には、前記精算可否判定の判定結果を必要とせずに前記遊技用記録媒体から読み出した記録情報に基づく遊技用価値の大きさに相当する金額の貨幣を払出す通信不可能時精算処理が実施されるようになるため、遊技者はこれら通信不可能状態（オフライン状態）であっても精算を受けることができるようになり、遊技場にとっても遊技者とのトラブルを回避できるようになる。また、通信可能状態（オンライン状態）中において、前記通信不可能時精算処理により不正な精算が実施されてしまうことを回避できる。また、精算金額が予め定められた上限金額を超えた場合には、通信不可能時精算処理が実施されないので、仮に不正行為がなされた場合であっても、その被害額を最小限に留めることができる。
【手続補正３】
【補正対象書類名】明細書
【補正対象項目名】０００７
【補正方法】変更
【補正の内容】
【０００７】
本発明の遊技用システムは、前記精算装置は、前記精算操作手段の操作者が正規の操作者であるかを判定するための操作者確認情報を記憶する操作者確認情報記憶手段を具備するとともに、前記精算操作手段は前記鍵の操作による精算処理要求操作に加えて操作者から前記操作者確認情報を受付け、前記精算手段は、該受付けた操作者確認情報と前記操作者確認情報記憶手段に記憶されている操作者確認情報とを照合し、該照合結果が一致した場合において前記通信不可能時精算処理を実施することが好ましい。
このようにすれば、前記鍵の操作による精算処理要求操作の実施ばかりでなく、前記操作者確認情報を受付けて、該受付けた操作者確認情報の照合により操作者が正規の操作者であるかを判定することで、不正な操作者により通信不可能時精算処理が実施されることを防止できるようになり、システムのセキュリティ性能を向上できる。
【手続補正４】
【補正対象書類名】明細書
【補正対象項目名】０００８
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１６
【補正方法】変更
【補正の内容】
【００１６】
本発明は次の効果を奏する。
（ａ）請求項１の発明によれば、前記通信状態確認手段にて記録媒体管理装置との通信状態が通信不可能状態（オフライン状態）であると確認された場合であっても、前記係員が所持する鍵の操作による精算処理要求操作があると判定され、かつ精算金額予め定められた上限金額を超えない場合には、前記精算可否判定の判定結果を必要とせずに前記遊技用記録媒体から読み出した記録情報に基づく遊技用価値の大きさに相当する金額の貨幣を払出す通信不可能時精算処理が実施されるようになるため、遊技者はこれら通信不可能状態（オフライン状態）であっても精算を受けることができるようになり、遊技場にとっても遊技者とのトラブルを回避できるようになる。また、通信可能状態（オンライン状態）中において、前記通信不可能時精算処理により不正な精算が実施されてしまうことを回避できる。また、精算金額が予め定められた上限金額を超えた場合には、通信不可能時精算処理が実施されないので、仮に不正行為がなされた場合であっても、その被害額を最小限に留めることができる。
【手続補正７】
【補正対象書類名】明細書
【補正対象項目名】００１７
【補正方法】変更
【補正の内容】
【００１７】
（ｂ）請求項２の発明によれば、前記鍵の操作による精算処理要求操作の実施ばかりでなく、前記操作者確認情報を受付けて、該受付けた操作者確認情報の照合により操作者が正規の操作者であるかを判定することで、不正な操作者により通信不可能時精算処理が実施されることを防止できるようになり、システムのセキュリティ性能を向上できる。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】変更
【補正の内容】
【００１９】
（ｃ）請求項３の発明によれば、前記操作者確認情報が適宜に変更されるようになり、これら操作者確認情報が盗まれた場合であっても操作者確認情報の使用を効果的に防止して不正な精算の実施の危険性を大幅に低減できる。
【手続補正１０】
【補正対象書類名】明細書
【補正対象項目名】００２０
【補正方法】変更
【補正の内容】
【００２０】
（ｄ）請求項４の発明によれば、遊技者は通常の記録媒体管理装置による精算可否判定の判定結果に基づく精算処理が行えないことを知覚できることから、店員を呼ぶ等により、迅速な対応が可能となってトラブル防止になる。
【手続補正１１】
【補正対象書類名】明細書
【補正対象項目名】００２１
【補正方法】変更
【補正の内容】
【００２１】
（ｅ）請求項５の発明によれば、通信不可能状態（オフライン状態）時において、前記ブラックリストに登録されている遊技用記録媒体の精算が実施されることを回避できる。
【手続補正１２】
【補正対象書類名】明細書
【補正対象項目名】００２２
【補正方法】変更
【補正の内容】
【００２２】
（ｆ）請求項６の発明によれば、記録媒体管理装置における精算遊技用価値の大きさの管理データが、前記通信不可能状態（オフライン状態）の発生により誤差（取りこぼし）が生じてしまうことを防止できる。
【手続補正１３】
【補正対象書類名】明細書
【補正対象項目名】００２３
【補正方法】変更
【補正の内容】
【００２３】
（ｇ）請求項７の発明によれば、前記通信不可能状態（オフライン状態）中における処理履歴を前記出力手段からの出力により確認することができる。
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】変更
【補正の内容】
【００２５】
（ｈ）請求項８の発明によれば、個々の遊技場の運用形態に合わせて前記通信不可能時精算処理の実施可能条件を設定できるようになるばかりか、これらの設定条件を適宜に設定しておくことで、該実施可能条件を逸脱した場合には前記通信不可能時精算処理が実施されないようになるため、仮に不正が為された場合であっても、その被害を最小限に留めることができる。
【手続補正１６】
【補正対象書類名】明細書
【補正対象項目名】０１１７
【補正方法】変更
【補正の内容】
【０１１７】
前記各実施例における各要素は、本発明に対して以下のように対応している。
本発明の請求項１は、
貨幣の支払いに応じた価値であって、遊技に使用可能な遊技用価値（度数）の大きさの情報及び該遊技用記録媒体（プリペイドカード；ＩＣカード３７）を特定可能な識別情報（カードＩＤ）が記録された遊技用記録媒体（ＩＣカード３７）の遊技用価値（度数）の大きさを、各遊技用記録媒体（ＩＣカード３７）の前記識別情報（カードＩＤ）に対応づけて管理する記録媒体管理装置（管理コンピュータ５０）と、
該記録媒体管理装置（管理コンピュータ５０）と通信可能であって、前記遊技用記録媒体（ＩＣカード３７）を受付けて、該受付けた遊技用記録媒体（ＩＣカード３７）の記録情報を少なくとも読み出す記録媒体処理手段（ＩＣカードリーダライタ４１５）と、前記遊技用記録媒体（ＩＣカード３７）の記録情報に基づく遊技用価値（度数）の大きさに相当する金額の貨幣を払出す精算処理を行う精算手段（マイクロプロセッシングユニット４２３、硬貨払出ユニット４１８、紙幣払出ユニット４１９）と、を備える精算装置４００から成り、
前記記録媒体処理手段（ＩＣカードリーダライタ４１５）にて前記遊技用記録媒体（ＩＣカード３７）から読み出した前記遊技用価値（度数）の大きさの情報及び識別情報（カードＩＤ）と、該識別情報（カードＩＤ）に対応づけて前記記録媒体管理装置（管理コンピュータ５０）にて管理されている遊技用価値（度数）の大きさとに基づいて前記記録媒体処理手段（ＩＣカードリーダライタ４１５）に受付中の遊技用記録媒体（ＩＣカード３７）の精算可否を判定し、該判定結果が精算可能である場合において精算金額に関わらず前記精算手段（マイクロプロセッシングユニット４２３、硬貨払出ユニット４１８、紙幣払出ユニット４１９）による精算処理を行う遊技用システムにおいて、
前記精算装置４００は、前記記録媒体管理装置（管理コンピュータ５０）との通信状態が通信可能状態（オンライン）或いは通信不可能状態（オフライン）であるかの確認を行う通信状態確認手段（通信部４２２）と、係員が所持する鍵の操作による精算処理要求操作（電子鍵スイッチ４２７の鍵の回動操作）があるか否かの判定手段（制御ユニット４２５）と、精算金額が予め定められた上限金額を超えるか否かを判定する判定手段（制御ユニット４２５）と、を備え、
前記精算手段は、
前記通信状態確認手段（通信部４２２）により通信不可能状態であると確認された場合において、前記係員が所持する鍵の操作による精算処理要求操作（電子鍵スイッチ４２７の鍵の回動操作）があると判定され、かつ精算金額が予め定められた上限金額を超えないと判定された場合には、前記精算手段（マイクロプロセッシングユニット４２３、硬貨払出ユニット４１８、紙幣払出ユニット４１９）の精算処理において、前記精算可否判定の判定結果を必要としない通信不可能時精算処理（オフライン精算処理；Ｓｂ１３）を実施し、
前記通信状態確認手段（通信部４２２）にて通信可能状態と確認されている場合には、前記通信不可能時精算処理（オフライン精算処理；Ｓｂ１３）を不能化する。
【手続補正１７】
【補正対象書類名】明細書
【補正対象項目名】０１１８
【補正方法】変更
【補正の内容】
【０１１８】
本発明の請求項２は、前記精算装置４００は、前記精算操作手段（制御ユニット４２５）の操作者が正規の操作者であるかを判定するための操作者確認情報（暗証番号）を記憶する操作者確認情報記憶手段（記憶部４２１）を具備するとともに、前記精算操作手段（制御ユニット４２５）は前記鍵の操作による精算処理要求操作に加えて操作者から前記操作者確認情報（暗証番号）を受付け、該受付けた操作者確認情報（暗証番号）と前記操作者確認情報記憶手段（記憶部４２１）に記憶されている操作者確認情報（設定ファイルに含まれる暗証番号）とを照合し、該照合結果が一致した場合において前記通信不可能時精算処理（オフライン精算処理）を実施する。
【手続補正１８】
【補正対象書類名】明細書
【補正対象項目名】０１１９
【補正方法】削除
【補正の内容】
【手続補正１９】
【補正対象書類名】明細書
【補正対象項目名】０１２０
【補正方法】変更
【補正の内容】
【０１２０】
本発明の請求項３は、前記操作者確認情報（暗証番号）を生成する操作者確認情報生成手段（管理コンピュータ５０）を備え、該操作者確認情報生成手段（管理コンピュータ５０）で生成された操作者確認情報（設定ファイル中の暗証番号）を前記操作者確認情報記憶手段（記憶部４２１）に更新記憶する。
【手続補正２０】
【補正対象書類名】明細書
【補正対象項目名】０１２１
【補正方法】変更
【補正の内容】
【０１２１】
本発明の請求項４は、前記通信状態確認手段（通信部４２２）にて通信不可能状態（オフライン状態）が確認された場合において、前記記録媒体管理装置（管理コンピュータ５０）による精算可否判定の判定結果に基づく精算処理（通常の精算処理）が不可能である旨を報知する報知手段（表示部４０７）を備える。
【手続補正２１】
【補正対象書類名】明細書
【補正対象項目名】０１２２
【補正方法】変更
【補正の内容】
【０１２２】
本発明の請求項５は、前記記録媒体管理装置（管理コンピュータ５０）は、精算を実施不可とする遊技用記録媒体（ＩＣカード３７）の識別情報（カードＩＤ）が登録されたブラックリスト情報を記憶する管理装置側ブラックリスト記憶手段（記憶装置１０９）を備え、該管理装置側ブラックリスト記憶手段（記憶装置１０９）に記憶されたブラックリスト情報を前記精算装置４００に送信し、前記精算装置４００は、通信可能状態（オンライン）時において記録媒体管理装置（管理コンピュータ５０）から送信されてきた前記ブラックリスト情報を記憶するための精算装置側ブラックリスト記憶手段（記憶部４２１）を備え、前記遊技用記録媒体（ＩＣカード３７）から読み出した識別情報（カードＩＤ）と前記ブラックリストに登録されている識別情報（カードＩＤ）の照合を行い、該照合が一致した場合において前記精算手段（マイクロプロセッシングユニット４２３、硬貨払出ユニット４１８、紙幣払出ユニット４１９）による精算処理を行わない。
【手続補正２２】
【補正対象書類名】明細書
【補正対象項目名】０１２３
【補正方法】変更
【補正の内容】
【０１２３】
本発明の請求項６は、前記精算装置４００は、前記通信不可能時精算処理にて精算された遊技用価値（度数）の大きさである精算遊技用価値の大きさを記憶するための精算遊技用価値記憶手段（記憶部４２１）を備え、通信不可能状態（オフライン状態）から通信可能状態（オンライン状態）に復旧した後に、該精算遊技用価値記憶手段（記憶部４２１）に記憶している記憶情報（精算履歴）を、前記通信不可能状態（オフライン状態）から通信可能状態（オンライン状態）に復旧した後において前記記録媒体管理装置（管理コンピュータ５０）に送信する。
【手続補正２３】
【補正対象書類名】明細書
【補正対象項目名】０１２４
【補正方法】変更
【補正の内容】
【０１２４】
本発明の請求項７は、前記精算装置４００は、前記通信不可能時精算処理の処理履歴を記憶するための処理履歴記憶手段（記憶部４２１）を備え、該処理履歴記憶手段（記憶部４２１）に記憶されている処理履歴を出力するための出力手段（小型プリンタ４３０）を備える。
【手続補正２４】
【補正対象書類名】明細書
【補正対象項目名】０１２５
【補正方法】削除
【補正の内容】
【手続補正２５】
【補正対象書類名】明細書
【補正対象項目名】０１２６
【補正方法】変更
【補正の内容】
【０１２６】
本発明の請求項８は、前記通信不可能時精算処理の実施可能条件を設定するための設定手段（管理コンピュータ５０）を具備し、前記精算装置４００は、該設定手段（管理コンピュータ５０）にて設定された実施可能条件（精算上限回数、精算上限金額）が満たされている場合において、前記通信不可能時精算処理を可能とする。